(57)【特許請求の範囲】
【請求項１】
コネクタと、このコネクタの内周面に設けられた結合部と、この結合部の内周に内嵌してコネクタに連結される管状体と、上記コネクタの結合部に設けられた逆止弁を備えたコネクタ装置であって、上記コネクタの結合部の内周に大径部を周設し、上記逆止弁を、ダックビル先端部と、これに続く筒状部と、この筒状部の端部外周に形成された突条とで構成し、上記コネクタの結合部に上記逆止弁の筒状部を内嵌するとともに、上記コネクタの大径部に上記逆止弁の突条を位置決めして固定し、その逆止弁の筒状部に上記管状体を内嵌したことを特徴とするコネクタ装置。
【請求項２】
上記突条がＯリングである請求項１記載のコネクタ装置。
【請求項３】
上記突条が上記筒状部の端部外周から突設する外向き鍔部である請求項１記載のコネクタ装置。
【請求項４】
コネクタと、このコネクタの内周面に設けられた結合部と、この結合部の内周に内嵌してコネクタに連結される管状体と、上記コネクタの結合部に設けられた逆止弁を備えたコネクタ装置であって、上記逆止弁を、ダックビル先端部と、これに続く筒状部と、この筒状部の端部外周に形成された突条とで構成し、上記コネクタの結合部の内周に大径部を周設し、そのコネクタの大径部に、異種材料からなる２つのＯリングを所定間隔で周設し、上記両Ｏリングの一方を耐油性を有するＯリングで構成し上記逆止弁の突条に形成し、上記コネクタの結合部に上記逆止弁の筒状部を内嵌するとともに、上記コネクタの大径部に上記逆止弁の突条を位置決めして固定したことを特徴とするコネクタ装置。
【発明の詳細な説明】
【０００１】
【発明の属する技術分野】
本発明は、逆流防止機能を有するコネクタ装置に関するものである。
【０００２】
【従来の技術】
一般に、自動車用配管等の各種配管においては、その途中（または末端）に逆止弁（チェックバルブ）を取り付け、配管内を流れる流体の逆流を防止することが行われている。そして、これら配管を接続する接続装置に逆流防止機能を持たせたものが、特開平８−３１２８６３号公報に提案されている。この配管接続装置４０は、図１０に示すように、端部３９ａに環状係止部３９ｂを設けた配管３９に接続する装置であり、円筒状ハウジング４１の流入側端部４１ａの内周部に、大径部４２と、これに続く小径部４３を形成し、上記大径部４２に、複数の抜け止め用爪４４ａを内向きに弾設した環状体４４を内嵌し、上記小径部４３に長ブッシュ４５と短ブッシュ４６を所定隙間をあけて内嵌するとともに、両ブッシュ４５，４６間の隙間および短ブッシュ４６と小径部４３の端縁間の隙間にＯリング４７を位置決め状に嵌合して構成している。また、これら両Ｏリング４７より流出側の部分に逆流防止手段５０を設けている。この逆流防止手段５０は、上記円筒状ハウジング４１の中央部分の内周部に内嵌固定されるスリーブ５１と、このスリーブ５１の流出側端面をテーパー状に形成して構成された弁座５１ａと、この弁座５１ａより流出側の部分に移動自在に配設された十字形状の弁本体５２と、この弁本体５２の流入側端部に固定され上記弁座５１ａに着座しうる円錐台形状の弁頭５３と、この弁頭５３の外周部に固定され上記着座時に弁座５１ａに密着するＯリング５４と、上記内周部に内嵌固定され弁本体５２を弁座５１ａ側に付勢する圧縮ばね５５からなる。この逆流防止手段５０は、圧縮ばね５５の付勢力により弁本体５２の弁頭５３を弁座５１ａに着座させて閉弁し、上記圧縮ばね５５の付勢力に抗して弁本体５２を流体の流出側に移動させ、弁座５１ａから弁頭５３を離間させて開弁するようになっている。図において、４１ｂは円筒状ハウジング４１の流出側端部であり、この外周に第２の配管（図示せず）が外嵌され、前記配管３９と連通するようになる。
【０００３】
配管３９を円筒状ハウジング４１に継合するには、上記円筒状ハウジング４１の流入側端部４１ａに、上記配管３９の端部３９ａを挿入し、図１１（一点鎖線は挿入途中を表している）に示すように、この端部３９ａの環状係止部３９ｂと円筒状ハウジング４１内の抜け止め用爪４４ａとを係止させる。これにより配管３９が円筒状ハウジング４１に係止され、かつ、両Ｏリング４７が配管３９の外周に密着することにより液密が保持される。この状態において、通常時（流体が流入側から流出側に流れる時）には、図１２に示すように、円筒状ハウジング４１の流入側端部４１ａから流れてきた流体の圧力により、圧縮ばね５５の付勢力に抗して弁頭５３を弁座５１ａから離間させて流体を流出側に流し、逆流時（流体が流出側から流入側に流れる時）には、図１０に示すように、上記圧縮ばね５５の付勢力により弁頭５３を弁座５１ａに着座させて逆流を防止するようになっている。
【０００４】
【発明が解決しようとする課題】
しかしながら、上記の配管接続装置４０では、円筒状ハウジング４１の小径部４３に取り付けた両Ｏリング４７と、逆流防止手段５０とが別々に作製されており、部品点数が多い。しかも、両Ｏリング４７を取り付ける作業と逆流防止手段５０を取り付ける作業とを別々に行わなければならず、これらの作業に手間取るという実作業上の大きな問題を有している。
【０００５】
そこで、部品点数を少なくし、かつ、取り付け作業を手早くするために、上記配管接続装置に代えて、図１３に示すように、上端開口に円筒形状の環状シール部６６を一体形成したダックビル型の逆止弁６５を用い、この逆止弁６５の環状シール部６６を上側パイプ６７の下端部に形成した係止用突条６７ａに外嵌状に取り付けることも考えられる。このものでは、下側パイプ６８の上端部に箱部６９を形成し、この箱部６９の上壁に穿設した挿通穴６９ａの内周面で上側パイプ６７の外周面を液密状に保持している。
【０００６】
しかしながら、図１３に示す逆止弁６５を用いた構造では、逆止弁６５の環状シール部６６の外周面をシール面に利用することが困難であるため、下側パイプ６８の上端部の箱部６９に穿設した挿通穴６９ａの内周面を利用して上側パイプ６７の外周面をシールしており、構造が複雑化するという問題がある。しかも、図１３に示す逆止弁６５を上側パイプ６７に取り付けると、この上側パイプ６７の係止用突条６７ａに対応する環状シール部６６の部分が拡径するため、上記取り付け状態を長期間続けると、上記拡径部分でひび割れ等を起こしやすいという問題もある。
【０００７】
本発明は、このような事情に鑑みなされたもので、部品点数が少なく、取り付け作業が容易なコネクタ装置の提供をその目的とする。
【０００８】
【課題を解決するための手段】
上記の目的を達成するため、本発明は、コネクタと、このコネクタの内周面に設けられた結合部と、この結合部の内周に内嵌してコネクタに連結される管状体と、上記コネクタの結合部に設けられた逆止弁を備えたコネクタ装置であって、上記コネクタの結合部の内周に大径部を周設し、上記逆止弁を、ダックビル先端部と、これに続く筒状部と、この筒状部の端部外周に形成された突条とで構成し、上記コネクタの結合部に上記逆止弁の筒状部を内嵌するとともに、上記コネクタの大径部に上記逆止弁の突条を位置決めして固定し、その逆止弁の筒状部に上記管状体を内嵌したコネクタ装置を第１の要旨とする。また、コネクタと、このコネクタの内周面に設けられた結合部と、この結合部の内周に内嵌してコネクタに連結される管状体と、上記コネクタの結合部に設けられた逆止弁を備えたコネクタ装置であって、上記逆止弁を、ダックビル先端部と、これに続く筒状部と、この筒状部の端部外周に形成された突条とで構成し、上記コネクタの結合部の内周に大径部を周設し、そのコネクタの大径部に、異種材料からなる２つのＯリングを所定間隔で周設し、上記両Ｏリングの一方を耐油性を有するＯリングで構成し上記逆止弁の突条に形成し、上記コネクタの結合部に上記逆止弁の筒状部を内嵌するとともに、上記コネクタの大径部に上記逆止弁の突条を位置決めして固定したコネクタ装置を第２の要旨とする。
【０００９】
すなわち、本発明のコネクタ装置は、コネクタ内周面の結合部の内周に大径部を周設している。また、上記コネクタの結合部に設ける逆止弁を、ダックビル先端部と、これに続く筒状部と、この筒状部の端部外周に形成された突条で構成している。そして、上記コネクタの結合部に逆止弁の筒状部を内嵌するとともに、上記結合部の大径部に逆止弁の突条を位置決めして固定している。このように、本発明のコネクタ装置では、コネクタに逆止弁を固定しているため、コネクタ自身に逆流防止機能を持たせることができる。しかも、逆止弁には突条が一体化されているため、従来例のように、逆流防止手段５０とＯリング４７とを別々に作製したものと比べて、部品点数が減少し、在庫管理等の管理面を簡素化しうる。さらに、上記突条をコネクタの大径部に固定するだけで逆止弁をコネクタの結合部に取り付けることができ、逆止弁の取り付け作業が容易になる。すなわち、突条を大径部に固定する作業が逆止弁をコネクタに取り付ける作業を兼ねており、逆止弁の取り付け作業を省略することができる。
【００１０】
また、本発明の第１の要旨のコネクタ装置において、上記突条がＯリングである場合には、つぎのような利点がある。すなわち、コネクタの大径部に固定した逆止弁のＯリングの内周面をコネクタに内嵌される管状体の外周面で押圧することにより、Ｏリングの内周面を管状体の外周面に圧接させてシールするとともに、Ｏリングの外周面を大径部の外周面に圧接させてシールすることができ、１つのＯリングにより２か所のシールが行え、図１０の逆止弁を用いた構造よりも構造の簡素化が図れる。また、逆止弁のＯリングをコネクタの大径部に抜け止め状に嵌合した状態でも、このＯリングに対し、図１３の逆止弁のような、これを拡径する力が殆ど作用していないため、本発明では、コネクタに逆止弁を取り付けた状態で長期間保管しても、Ｏリングに拡径にもとづくひび割れ等が生じない。また、本発明の第１の要旨のコネクタ装置において、上記突条が上記筒状部の端部外周から突設する外向き鍔部である場合には、この外向き鍔部をコネクタの大径部に位置決めして固定した場合でも、この外向き鍔部に対し、図１３の逆止弁のような、これを拡径する力が殆ど作用していないため、本発明では、コネクタに逆止弁を取り付けた状態で長期間保管しても、外向き鍔部に拡径にもとづくひび割れ等が生じない。また、本発明の第２の要旨のコネクタ装置では、上記コネクタの大径部に、異種材料からなる２つのＯリングを所定間隔で周設し、上記両Ｏリングの一方を耐油性を有するＯリングで構成し上記逆止弁の突条に形成しているため、コネクタに周設する２種類のＯリングのうち、一方のＯリング（逆止弁の突条を構成するＯリング）により耐油性を発揮させることができ、下方のＯリングにより別の性能（例えば、耐熱性）を発揮させることができるため、シール性を向上させることができる。
【００１１】
【発明の実施の形態】
つぎに、本発明の一実施の形態を図面にもとづいて説明する。
【００１２】
図１は本発明のコネクタ装置の一実施の形態を示している。図において、１はポリアミド１１製樹脂パイプであり、２はこれに繋ぐための鋼管製金属パイプである。３は内周面にダックビル型の逆止弁４を取り付けたクイックコネクタである。このクイックコネクタ３は、その一端部（図面では左端部であり、燃料等の流体の流出側である）３ａの先端外周面が、先細り状のテーパー面５に形成されており、このテーパー面５に続く部分６の外周に、Ｏリング７ａが嵌着する１条のＯリング溝７が形成されている。また、上記Ｏリング溝７形成部分６に続く部分の外周には、３条の抜け止め用楔８ａが周方向に突設され、楔面部分８になっている。一方、クイックコネクタ３の中央部の内周面は、上記一端部３ａの内周面より大径に形成された結合部３ｃが設けられており、この結合部３ｃには、上記一端部３ａ寄り部分に、後述する逆止弁４の筒状連結部１４に外嵌する円柱状部分と、上記逆止弁４のＯリング部１５に嵌着する環状溝（大径部）１０ａが形成されている。また、上記結合部３ｃの他端部（図面では右端部であり、流体の流入側である）３ｂ寄り部分は金属パイプ２の一端部２ａに外嵌合する円柱状部分に形成されており、その中央部に１条のＯリング溝１０ｂが形成されている。このＯリング溝１０ｂに嵌着するＯリング１１は耐熱性を有する材料（例えば、フッ素ゴム）で作製されており、高温流体が金属パイプ２内を流通しても、長期間にわたって劣化しないようにしている。また、上記クイックコネクタ３の他端部３ｂには、ばね（図示せず）を利用したクイック機構９（このクイック機構９は、その凸部９ａが上記ばねで中心方向に付勢されており、金属パイプ２の係合時に金属パイプ２の環状凸部２ｂが凸部９ａを通ると上記ばねの付勢力に抗して凸部９ａが拡径し、環状凸部２ｂが通り過ぎると上記ばねの付勢力により凸部９ａが縮径して環状凸部２ｂを抜け止めする）が設けられている。そして、樹脂パイプ１（この樹脂パイプ１は、その内径が上記Ｏリング溝７形成部分６の外径よりやや小径に形成されている）の一端部１ａをクイックコネクタ３の一端部３ａに外嵌状に圧入すると、樹脂パイプ１の一端部１ａが拡径しながらテーパー面５，Ｏリング溝７形成部分６を奥側に移動し、楔面部分８の楔８ａにより抜け止め状に固定される。一方、金属パイプ２の一端部２ａをクイックコネクタ３の他端部３ｂに内嵌状に圧入すると、このワンタッチ操作でクイック機構９の凸部９ａにより金属パイプ２の一端部２ａから突設する凸部２ｂが抜け止め状に固定される。
【００１３】
注目すべきは、上記逆止弁４は、図２および図３に示すように、流体が流入側から流出側に流れる（図面では、右側から左側に流れる）のを許容するとともに流出側から流入側に流れる（図面では、左側から右側に流れる）のを阻止する逆止弁部（逆流防止部）１３と、クイックコネクタ３の結合部３ｃに内嵌する形状（円筒形状）に形成された筒状連結部１４と、上記環状溝１０ａに嵌着するＯリング部（突条）１５とを一連に繋げてなることである。これら逆止弁部１３と筒状連結部１４とＯリング部１５は耐油性を有する合成ゴム材料（例えば、フロロシリコーンゴム，ＮＢＲ／ＰＶＣ）により一体成形して作製されており、各種油類が金属パイプ２内を流通しても、長期間にわたって劣化しないようにしている。上記逆止弁部１３は、ダックビル型であり、より詳しく説明すると、上記結合部３ｃの内径と略同径の（金属パイプ２の一端部２ａの開口を覆う大きさに形成された）円盤状体の中央部から流体の流出側に向かって先細り状に延びる口部１６を突設したもので構成されている。この口部１６は、正面視正四角錐形状の漏斗状部分１７（第２図参照）と、この漏斗状部分１７の先端に設けた開閉部１８からなる。上記開閉部１８は、長方形状の水平板１８ａの中央部に、流体の流れ方向に沿って貫通する切り目１８ｂを形成して構成されている。そして、逆止弁部１３において、漏斗状部分１７内を流体が矢印Ａ（図１，図３参照）のように流れてくると、この流体の圧力により切り目１８ｂが開いて開弁し（図４，図５参照）、漏斗状部分１７の反対側から流体が流れてくると、開閉部１８自身の弾性閉塞力により切り目１８ｂが閉じたまま保持され、閉弁（図６参照）するようになっている。
【００１４】
上記構成において、クイックコネクタ３の結合部３ｃに逆止弁４を取り付ける場合には、クイックコネクタ３の他端部３ｂに、逆止弁４の口部１６側を対面させ、その状態から逆止弁４をクイックコネクタ３の内部に押し込むことが行われる。これにより、口部１６がクイックコネクタ３の一端部３ａの内部に位置した状態で環状溝１０ａにＯリング部１５が嵌合させることができる。このようにして逆止弁４をクイックコネクタ３の結合部３ｃに取り付けたのち、図１に示すように、この他端部３ｂに金属パイプ２の一端部２ａを内嵌し、一端部３ａの外周に樹脂パイプ１の一端部１ａを圧入することを行う。この状態で、流体が流入側から流出側に流れると、先に述べたように、逆止弁４の逆止弁部１３が開弁して流出側への流体の流れを許容し、流体が流出側から流入側に流れると、逆止弁４の逆止弁部１３が閉弁して流入側への流体の流れ（逆流）を阻止する。
【００１５】
このように、上記実施の形態では、クイックコネクタ３に逆止弁４を取り付けているため、クイックコネクタ３に逆流防止機能を持たせることができる。しかも、上記逆止弁４が逆止弁部１３とＯリング部１５とを一連に繋げたもので構成されているため、部品点数が少ないうえ、Ｏリング部１５の取り付けにより逆止弁４をも取り付けることができる。さらに、クイックコネクタ３に逆止弁４を取り付けた状態で長期間保管しても、Ｏリング部１５に拡径にもとづくひび割れ等が生じない。そのうえ、クイックコネクタ３に装着するＯリング１１に耐熱性を持たせ、逆止弁４のＯリング部１５に耐油性を持たせているため、高温油が金属パイプ２内を流通しても、長期間にわたってシール性が低下しない。通常、クイックコネクタ３には、異種材料，異種性能の複数のＯリングを装着してシール性を向上させているが、この実施の形態でも、逆止弁４，Ｏリング１１の材料を異種材料，異種性能とすることにより、逆止弁４のＯリング部１５，Ｏリング１１によるシール性を向上させている。
【００１６】
図７は本発明の他の実施の形態を示している。この実施の形態では、図１に示すクイックコネクタ３において、一端部３ａを流体の流入側に配設するとともに他端部３ｂを流出側に配設している。また、この一端部３ａに取り付ける逆止弁２２は、図８に示すように、図３の逆止弁４における口部１６を筒状連結部１４の内部に向かって（この実施の形態では、流体の流出側に向かっていることになる）延ばしている。それ以外の部分は上記実施の形態と同様であり、同様の部分には同じ符号を付している。
【００１７】
この実施の形態でも、上記実施の形態と同様の作用・効果を奏する。しかも、口部１６が筒状連結部１４の内部に配設されているため、逆止弁２２の横幅が短くなって小形化するという利点もある。
【００１８】
図９は本発明のさらに他の実施の形態を示している。この実施の形態では、自動車用フューエルラインのリターンパイプ２５にクイックコネクタ３を取り付けている。より詳しく説明すると、上記リターンパイプ２５は垂下状態で取り付けられており、その下端部２５ａに環状の膨出部２５ｂが形成されている。また、逆止弁２７は、図３の逆止弁４におけるＯリング部１５に代えて、外向き鍔部からなる環状平板部（突条）２８が設けられている。一方、上記クイックコネクタ３には、その結合部３ｃに、上記逆止弁２７の筒状連結部１４に外嵌する円柱状部分と、上記逆止弁２７の環状平板部２８を載置しうる段部（大径部）２９が形成されている。一方、それ以外の部分は上記実施の形態と同様であり、同様の部分には同じ符号を付している。
【００１９】
上記構成において、クイックコネクタ３の結合部３ｃに逆止弁２７を取り付ける場合には、クイックコネクタ３の他端部（上端部）３ｂに、逆止弁２７の逆止弁部１３側を対面させ、その状態から逆止弁２７をクイックコネクタ３の内部に押し込み、つぎに上記他端部３ｂから金属パイプ２の一端部２ａを内嵌することが行われる。これにより、逆止弁部１３が一端部３ａの内部に位置した状態で、環状平板部２８が上記結合部３ｃの段部２９とリターンパイプ２５の下端部２５ａの膨出部２５ｂとの間に固定される。このようにして逆止弁２７をクイックコネクタ３の結合部３ｃに取り付けたのち、図１に示すように、この一端部３ａの外周に樹脂パイプ１の一端部１ａを圧入することを行う。この状態で、流体が上方から流下すると、先に述べたように、逆止弁２７の逆止弁部１３が開弁して流出側への流体の流れを許容し、流体が下方から上昇してくると、逆止弁２７の逆止弁部１３が閉弁して流入側への流体の流れ（逆流）を阻止する。この実施の形態でも、図１に示す実施の形態と同様の作用・効果を奏する。
【００２０】
なお、上記各実施の形態では、コネクタとして、クイックコネクタ３を用いているが、これに限定するものではなく、エルボ，ソケット等のねじ込み式コネクタや、くい込み式，パッキン式等のメカニカル式コネクタ等各種のものが用いられる。また、上記各実施の形態では、環状シール部としてＯリングを用いているが、Ｏリングに代えて、Ｕパッキン，Ｖパッキン，グランドパッキン等を用いてもよい。また、上記各実施の形態では、逆止弁４の材料としてフロロシリコーンゴムを用いているが、フッ素ゴム，ニトリルゴム等の合成ゴムや各種の合成樹脂を用いてもよい。また、金属パイプ２として鋼製のものを用いているが、各種金属からなる金属パイプや、ポリアセタール樹脂製等の各種樹脂パイプ等を用いてもよい。また、上記各実施の形態では、クイックコネクタ３に逆止弁４，２２，２７を取り付けているが、流量制御弁，安全弁等を取り付けるようにしてもよい。また、上記各実施の形態では、逆止弁４のＯリング部１５に耐油性を持たせ、Ｏリング１１に耐熱性を持たせているが、逆止弁４のＯリング部１５に耐油性，耐寒性を持たせ、Ｏリング１１に耐油性，耐熱性を持たせるようにしてもよい。
【００２１】
【発明の効果】
以上のように、本発明のコネクタ装置によれば、コネクタに逆止弁を固定しているため、コネクタ自身に逆流防止機能を持たせることができる。しかも、逆止弁には突条が一体化されているため、従来例のように、逆流防止手段５０とＯリング４７とを別々に作製したものと比べて、部品点数が減少し、在庫管理等の管理面を簡素化しうる。さらに、突条をコネクタの大径部に固定するだけで逆止弁をコネクタの端部に取り付けることができ、逆止弁の取り付け作業が容易になる。すなわち、突条を大径部に固定する作業が逆止弁をコネクタに取り付ける作業を兼ねており、逆止弁の取り付け作業を省略することができる。
【００２２】
また、本発明において、上記突条がＯリングである場合には、つぎのような利点がある。すなわち、コネクタの大径部に固定した逆止弁のＯリングの内周面をコネクタに内嵌される管状体の外周面で押圧することにより、Ｏリングの内周面を管状体の外周面に圧接させてシールするとともに、Ｏリングの外周面を大径部の外周面に圧接させてシールすることができ、１つのＯリングにより２か所のシールが行え、図１０の逆止弁を用いた構造よりも構造の簡素化が図れる。また、逆止弁のＯリングをコネクタの大径部に抜け止め状に嵌合した状態でも、このＯリングに対し、図１３の逆止弁のような、これを拡径する力が殆ど作用していないため、本発明では、コネクタに逆止弁を取り付けた状態で長期間保管しても、Ｏリングに拡径にもとづくひび割れ等が生じない。また、本発明において、上記突条が上記筒状部の端部外周から突設する外向き鍔部である場合には、この外向き鍔部をコネクタの大径部に位置決めして固定した場合でも、この外向き鍔部に対し、図１３の逆止弁のような、これを拡径する力が殆ど作用していないため、本発明では、コネクタに逆止弁を取り付けた状態で長期間保管しても、外向き鍔部に拡径にもとづくひび割れ等が生じない。
【図面の簡単な説明】
【図１】本発明のコネクタ装置の一実施の形態を示す断面図である。
【図２】逆止弁の正面図である。
【図３】上記逆止弁の断面図である。
【図４】上記逆止弁の作用を示す説明図である。
【図５】上記逆止弁の作用を示す説明図である。
【図６】上記逆止弁の作用を示す説明図である。
【図７】本発明の他の実施の形態を示す断面図である。
【図８】上記他の実施の形態に用いる逆止弁の断面図である。
【図９】本発明のさらに他の実施の形態を示す説明図である。
【図１０】従来例の配管接続装置を示す断面図である。
【図１１】上記配管接続装置の作用を示す要部断面図である。
【図１２】上記配管接続装置の作用を示す要部断面図である。
【図１３】環状シール部を有する逆止弁の一態様を示す断面図である。
【符号の説明】
２  金属パイプ
３  クイックコネクタ
３ｃ  結合部
４  逆止弁
１０ａ  環状溝
１５  Ｏリング部
【図１】
0003541115.tif 000002
【図２】
0003541115.tif 000003
【図３】
0003541115.tif 000004
【図４】
0003541115.tif 000005
【図５】
0003541115.tif 000006
【図６】
0003541115.tif 000007
【図７】
0003541115.tif 000008
【図８】
0003541115.tif 000009
【図９】
0003541115.tif 000010
【図１０】
0003541115.tif 000011
【図１１】
0003541115.tif 000012
【図１２】
0003541115.tif 000013
【図１３】
0003541115.tif 000014